【手続補正書】
【提出日】平成26年5月30日(2014.5.30)
【手続補正１】
【補正対象書類名】特許請求の範囲
【補正対象項目名】全文
【補正方法】変更
【補正の内容】
【特許請求の範囲】
【請求項１】
遊技領域内に配置され遊技媒体が入球可能な始動口と、
該始動口に遊技媒体が入球したことを検出する入球状態検出手段と、
該入球状態検出手段による前記遊技媒体の検出に基づいて抽選を行う抽選手段と、
該抽選手段による抽選結果に基づいて所定の変動時間が設定された変動表示パターンを決定する変動表示パターン決定手段と、
所定の開閉動作を行い、閉状態から開状態に変化することで前記遊技媒体が入賞可能となる開閉入賞装置と、
前記抽選手段の抽選結果が当りである場合には、前記開閉入賞装置を開状態に変化させて、遊技者に利益を付与する利益付与手段と、
前記変動表示パターン決定手段により決定された変動表示パターンに基づく演出画像を表示する演出表示装置と、
複数種類の装飾図柄を記憶する装飾図柄記憶手段と、
前記演出表示装置の表示領域に停止される複数の装飾図柄の組合せとして、前記抽選手段の抽選結果が当りである場合には特定の装飾図柄の組合せに決定する一方、前記抽選手段の抽選結果が外れである場合には前記特定の装飾図柄の組合せとはならない装飾図柄の組合せに決定する最終停止図柄決定手段と、
前記変動表示パターン決定手段により決定された変動表示パターンに基づいて、前記演出表示装置の表示領域に前記複数の装飾図柄の変動を行い、前記最終停止図柄決定手段の決定結果に対応した装飾図柄の停止図柄で変動を停止させる装飾図柄変動制御手段と、
前記利益が付与される期待度を示唆する期待度演出を複数種類記憶する期待度演出記憶手段と、
前記変動表示パターン決定手段により決定された変動表示パターンに基づいて、前記複数種類の期待度演出のうち前記変動表示パターンに対応付けられた期待度演出に決定する期待度演出決定手段と、
前記装飾図柄変動制御手段による前記複数の装飾図柄の変動に併せて、前記期待度演出決定手段により決定された期待度演出の表示制御を行う期待度演出表示制御手段と、を備え、
前記期待度演出記憶手段には、前記複数の装飾図柄がリーチ状態で停止された後、通常の演出態様から特定の演出態様へと進行させることが可能な前記期待度演出が記憶されるとともに、前記特定の演出態様が含まれない期待度演出よりも前記特定の演出態様が含まれる期待度演出のほうが、前記利益が付与される期待度が高くなるように設定されており、
前記期待度演出表示制御手段は、
所定の達成条件を達成するか否かの達成演出について実行する達成演出実行手段と、
前記特定の演出態様が含まれる期待度演出として、前記特定の演出態様が含まれる期待度演出における前記特定の演出態様が実行される前の部分に前記達成演出が組み込まれた態様からなる特別期待度演出を実行可能とする特別期待度演出実行手段と、を有し、
前記達成演出実行手段により前記達成演出を実行する場合において、前記複数の装飾図柄の可変表示及び仮停止表示を繰り返して前記複数の装飾図柄の変動が複数回行われているかのような連続変動演出を行うことで前記達成演出を実行するとともに、前記連続変動演出にかかる変動回数が同一であり、且つ前記連続変動演出の実行時間を異ならせた複数種類の前記達成演出のうちいずれかを実行可能とし、
前記特定の演出態様が含まれる期待度演出として、前記達成演出を実行しない場合には、前記リーチ状態が停止された後、前記通常の演出態様から前記特定の演出態様へと進行する表示制御を行う一方、
前記特別期待度演出実行手段により前記特別期待度演出を実行する場合には、前記達成演出が開始された後、前記達成演出にかかる前記達成条件が達成されるのを条件に、前記通常の演出態様を実行することなく、前記特定の演出態様へと進行する表示制御を行うことを特徴とする遊技機。
【手続補正２】
【補正対象書類名】明細書
【補正対象項目名】０００３
【補正方法】削除
【補正の内容】
【手続補正３】
【補正対象書類名】明細書
【補正対象項目名】０００５
【補正方法】変更
【補正の内容】
【０００５】
ところで、リーチ演出では、有効ライン上にリーチ状態が停止された後、通常の演出態様から特定の演出態様へと進行させることを可能とし、特定の演出態様が含まれないリーチ演出よりも特定の演出態様が含まれるリーチ演出のほうが、利益が付与される期待度が高くなるように実行される場合がある。しかしながら、リーチ演出において特定の演出態様が実行される前段階である通常の演出態様では、特定の演出態様へと展開されなければ利益付与に対する期待感が高められる状態とはならず、遊技者が期待のもてる演出態様とはならなった。
【手続補正４】
【補正対象書類名】明細書
【補正対象項目名】０００６
【補正方法】変更
【補正の内容】
【０００６】
本発明は、上記した事情に鑑みなされたもので、その目的とするところは、特定の演出態様へと進行させることが可能な演出において、遊技興趣の低下を抑制することのできる遊技機を提供することにある。
【手続補正５】
【補正対象書類名】明細書
【補正対象項目名】０００７
【補正方法】変更
【補正の内容】
【０００７】
（解決手段１）
遊技領域内に配置され遊技媒体が入球可能な始動口と、該始動口に遊技媒体が入球したことを検出する入球状態検出手段と、該入球状態検出手段による前記遊技媒体の検出に基づいて抽選を行う抽選手段と、該抽選手段による抽選結果に基づいて所定の変動時間が設定された変動表示パターンを決定する変動表示パターン決定手段と、所定の開閉動作を行い、閉状態から開状態に変化することで前記遊技媒体が入賞可能となる開閉入賞装置と、前記抽選手段の抽選結果が当りである場合には、前記開閉入賞装置を開状態に変化させて、遊技者に利益を付与する利益付与手段と、前記変動表示パターン決定手段により決定された変動表示パターンに基づく演出画像を表示する演出表示装置と、複数種類の装飾図柄を記憶する装飾図柄記憶手段と、前記演出表示装置の表示領域に停止される複数の装飾図柄の組合せとして、前記抽選手段の抽選結果が当りである場合には特定の装飾図柄の組合せに決定する一方、前記抽選手段の抽選結果が外れである場合には前記特定の装飾図柄の組合せとはならない装飾図柄の組合せに決定する最終停止図柄決定手段と、前記変動表示パターン決定手段により決定された変動表示パターンに基づいて、前記演出表示装置の表示領域に前記複数の装飾図柄の変動を行い、前記最終停止図柄決定手段の決定結果に対応した装飾図柄の停止図柄で変動を停止させる装飾図柄変動制御手段と、前記利益が付与される期待度を示唆する期待度演出を複数種類記憶する期待度演出記憶手段と、前記変動表示パターン決定手段により決定された変動表示パターンに基づいて、前記複数種類の期待度演出のうち前記変動表示パターンに対応付けられた期待度演出に決定する期待度演出決定手段と、前記装飾図柄変動制御手段による前記複数の装飾図柄の変動に併せて、前記期待度演出決定手段により決定された期待度演出の表示制御を行う期待度演出表示制御手段と、を備え、前記期待度演出記憶手段には、前記複数の装飾図柄がリーチ状態で停止された後、通常の演出態様から特定の演出態様へと進行させることが可能な前記期待度演出が記憶されるとともに、前記特定の演出態様が含まれない期待度演出よりも前記特定の演出態様が含まれる期待度演出のほうが、前記利益が付与される期待度が高くなるように設定されており、前記期待度演出表示制御手段は、所定の達成条件を達成するか否かの達成演出について実行する達成演出実行手段と、前記特定の演出態様が含まれる期待度演出として、前記特定の演出態様が含まれる期待度演出における前記特定の演出態様が実行される前の部分に前記達成演出が組み込まれた態様からなる特別期待度演出を実行可能とする特別期待度演出実行手段と、を有し、前記達成演出実行手段により前記達成演出を実行する場合において、前記複数の装飾図柄の可変表示及び仮停止表示を繰り返して前記複数の装飾図柄の変動が複数回行われているかのような連続変動演出を行うことで前記達成演出を実行するとともに、前記連続変動演出にかかる変動回数が同一であり、且つ前記連続変動演出の実行時間を異ならせた複数種類の前記達成演出のうちいずれかを実行可能とし、前記特定の演出態様が含まれる期待度演出として、前記達成演出を実行しない場合には、前記リーチ状態が停止された後、前記通常の演出態様から前記特定の演出態様へと進行する表示制御を行う一方、前記特別期待度演出実行手段により前記特別期待度演出を実行する場合には、前記達成演出が開始された後、前記達成演出にかかる前記達成条件が達成されるのを条件に、前記通常の演出態様を実行することなく、前記特定の演出態様へと進行する表示制御を行うことを特徴とする遊技機。
【手続補正６】
【補正対象書類名】明細書
【補正対象項目名】０００８
【補正方法】変更
【補正の内容】
【０００８】
ここで、期待度演出における特定の演出態様とは、多段階からなる演出態様のうち最終段階の演出態様（例えば、所謂、通常変動後にノーマル演出から発展演出へと展開される構成においては、発展演出）に相当するものであり、概ね演出時間が長く経過するほど、演出態様の段階が上がるとともに期待度が高くなるように期待度演出が設定されている。また、期待度を異ならせた特定の演出態様が複数種類用意される場合には、全ての特定の演出態様が含まれる期待度演出に対して達成演出を実行可能とするかたちとしてもよいが、その中でも期待度の高い特定の演出態様が含まれる期待度演出に対して達成演出を実行可能としたほうが後述の効果を顕著に奏することができる。
【手続補正７】
【補正対象書類名】明細書
【補正対象項目名】０００９
【補正方法】変更
【補正の内容】
【０００９】
また、複数の装飾図柄の変動が複数回行われているかのような連続変動演出としては、複数の装飾図柄が複数回にわたって変動するかのように複数の装飾図柄を変動させる変動演出を実行し、リーチ状態が仮停止されないことを条件に当該変動演出の実行を継続させる連続変動演出（具体的には、リーチ状態が成立するか否かの過程において、全ての装飾図柄が仮停止表示／再変動を連続的に繰り返すような態様）や、リーチ状態が仮停止されないことを条件にリーチ状態が停止されるか否かの装飾図柄を再変動させるすべり変動演出（具体的には、リーチ状態が成立するか否かの過程において、少なくとも一方の装飾図柄を固定表示（仮停止表示）しながら、他方の装飾図柄が仮停止表示／再変動を連続的に繰り返すような態様）を例示することができる。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
また、達成演出は、特定の演出態様が含まれる期待度演出において複数の装飾図柄の変動が開始された後から特定の演出態様が実行されるまでの間の部分に入れ込まれるが、複数の装飾図柄の変動が開始された後に相当するリーチ状態が停止される前後のタイミングからが望ましい。すなわち、特別期待度演出を実行する場合には、リーチ状態が停止されるタイミングが達成演出の終了時まで移行されることになる。また、達成演出の開始契機としては、例えば、複数の装飾図柄の変動が外れ図柄（特定の装飾図柄の組合せとはならない装飾図柄の組合せ）で仮停止表示する態様とすることで、その変動が外れ図柄で停止表示されたとしても達成演出が実行されているのではないかと期待させる構成とすることができる。また、達成演出の開始前後において、複数の装飾図柄の変動が仮停止されることなくそのまま継続される構成や、その変動とは別個の文字情報等によって達成演出の開始を遊技者に告知するような構成であってもよい。
【手続補正１０】
【補正対象書類名】明細書
【補正対象項目名】００１２
【補正方法】変更
【補正の内容】
【００１２】
解決手段１記載の遊技機によれば、装飾図柄変動制御手段による複数の装飾図柄の変動に併せて、期待度演出決定手段により決定された期待度演出の表示制御を行う期待度演出表示制御手段を備え、期待度演出記憶手段には、複数の装飾図柄がリーチ状態で停止された後、通常の演出態様から特定の演出態様へと進行させることが可能な期待度演出が記憶されるとともに、特定の演出態様が含まれない期待度演出よりも特定の演出態様が含まれる期待度演出のほうが、利益が付与される期待度が高くなるように設定されるものである。すなわち、期待度演出において特定の演出態様が実行される前段階である通常の演出態様では、特定の演出態様へと展開されなければ利益付与に対する期待感が高められる状態とはならず、遊技者が期待のもてる演出態様とはならない。一方、達成演出とは、所定の達成条件を達成するか否かの演出である。この達成演出が実行された場合には、達成条件が達成されるか否かの機会が複数回にわたって得られることから、利益付与に対する期待感を持続させることができる。また、達成演出にかかる達成条件が達成されるのを条件に、通常の演出態様を実行することなく、特定の演出態様が展開されることから、達成演出を遊技者が期待のもてる演出とすることができる。
【手続補正１１】
【補正対象書類名】明細書
【補正対象項目名】００１３
【補正方法】変更
【補正の内容】
【００１３】
また、達成演出が抽選手段の抽選結果に基づくことなく、その後に特定の演出態様が展開されるか否かに基づくように設定されることで、達成条件が達成されるか否かの機会に対する期待感が最後まで持続させられるとともに、達成演出の達成頻度を高めることができる。また、達成演出実行手段により達成演出を実行する場合において、複数の装飾図柄の可変表示及び仮停止表示を繰り返して複数の装飾図柄の変動が複数回行われているかのような連続変動演出を行うことで達成演出を実行するとともに、連続変動演出にかかる変動回数が同一であり、且つ連続変動演出の実行時間を異ならせた複数種類の達成演出のうちいずれかを実行可能とすることができる。
【手続補正１２】
【補正対象書類名】明細書
【補正対象項目名】００１４
【補正方法】変更
【補正の内容】
【００１４】
また、特定の演出態様が含まれる期待度演出として、特定の演出態様が含まれる期待度演出における特定の演出態様が実行される前の部分に達成演出が組み込まれた態様からなる特別期待度演出を実行可能としている。すなわち、１回の変動表示（期待度演出）において特定の演出態様が実行されるまでの遊技者が期待のもてない通常の演出態様を、遊技者が期待のもてる達成演出に差替えて実行することができる。また、遊技者が期待のもてる達成演出が実行されながらも、変動表示パターンに設定された所定の変動時間（期待度演出の演出時間）を保持することから、演出内容が間延びすることがない。したがって、達成演出に対する期待感を維持しながら、達成演出の達成頻度を高めることで、遊技興趣の低下を抑制することができる。
【手続補正１３】
【補正対象書類名】明細書
【補正対象項目名】００２５
【補正方法】変更
【補正の内容】
【００２５】
本発明の遊技機においては、特定の演出態様へと進行させることが可能な演出において、遊技興趣の低下を抑制することができる。